(57)【要約】【課題】  光ディスクのレーベルの記録エリアを認識可能な光ディスク装置を提供する。【解決手段】  デジタルデータを記録するためのデジタルデータ記録層１０３及び文字情報或いはイメージ情報を記録するためのレーベル層１０４と外形に対して少なくとも線対称となる位置に設けられたインデックスマークを有する光ディスク１０１を支持する支持手段１０６と、光ディスクを回転駆動するためのディスクモータ１０２と、光ディスクのデジタルデータ記録層及びインデックス層に光を集光させるための光ピックアップ１０５と、光ディスクに光ピックアップを介して光を照射する光源と、インデックスマークの位置から光ディスクのうちレーベル層の位置を把握するコントローラ１０８とを具備し、光源からの光照射によってデジタルデータ記録層にデジタルデータを記録し、さらにレーベル層に文字情報或いはイメージ情報を記録する。【選択図】  図１
2005317104.tif 000002
【特許請求の範囲】
【請求項１】
デジタルデータを記録するためのデジタルデータ記録層及び文字情報或いはイメージ情
報を記録するためのレーベル層と外形に対して少なくとも線対称となる位置に設けられた
インデックスマークを有する光ディスクを支持する支持手段と、
前記光ディスクを回転駆動するためのディスクモータと、
前記光ディスクの前記デジタルデータ記録層及び前記インデックス層に光を集光させる
ための光ピックアップと、
前記光ディスクに前記光ピックアップを介して光を照射する光源と、
前記インデックスマークの位置から前記光ディスクのうち前記レーベル層の記録エリア
を把握するコントローラとを具備し、
前記光源からの光照射によって前記デジタルデータ記録層にデジタルデータを記録し、
さらに前記レーベル層に文字情報或いはイメージ情報を記録することを特徴とする光ディ
スク装置。
【請求項２】
さらに前記光源から前記光ピックアップを介して照射された光が前記インデックスマー
クにて反射された反射光を検知する光センサを具備し、この光センサからの信号に基づい
て、前記コントローラは前記レーベル層の記録エリアを把握することを特徴とする請求項
１記載の光ディスク装置。
【請求項３】
前記コントローラは、前記位置センサから得られた情報から前記レーベル層の形状を把
握し、この形状を元に前記記録エリアを判断することを特徴とする請求項２記載の光ディ
スク装置。
【請求項４】
デジタルデータを記録するためのデジタルデータ記録層及び文字情報或いはイメージ情
報を記録するためのレーベル層とを有する光ディスクを支持する支持手段と、
前記光ディスクを回転駆動するためのディスクモータと、
前記光ディスクの前記デジタルデータ記録層及び前記インデックス層に光を集光させる
ための光ピックアップと、
前記光ディスクに前記光ピックアップを介して光を照射する光源と、
前記レーベル層に光を照射し、この反射光を検出することで前記光ディスクのうち前記
レーベル層の記録エリアを把握する記録エリア判断手段とを具備し、
前記光源からの光照射によって前記デジタルデータ記録層にデジタルデータを記録し、
さらに前記レーベル層に文字情報或いはイメージ情報を記録することを特徴とする光ディ
スク装置。
【発明の詳細な説明】
【技術分野】
【０００１】
本発明は、光ディスク装置に関する。
【背景技術】
【０００２】
光ディスクには、読み取り専用のＣＤ−ＲＯＭやＤＶＤ−ＲＯＭのほかに、ユーザの好
みのデジタルデータを書き込み可能なＣＤ±Ｒ／ＲＷ、ＤＶＤ±Ｒ／ＲＷが開発されてい
る。
【０００３】
このような記録可能な光ディスクにはユーザが何を記録したかどうかを判別するために
、ディスクケースにシール状のレーベルを貼る或いはフェルトペンなどでディスク自体に
直接記入するということが行われていた。
【０００４】
しかしながらシール状のレーベルを貼る或いはフェルトペンなどで直接記入することは
美観を損なうばかりでなく、ユーザに煩わしさを強要していた。
【０００５】
そこでライトスクライブ（Ｌｉｇｈｔ  Ｓｃｒｉｂｅ）と呼ばれる光ディスクの記録面
とは反対側の面に文字情報や絵情報を、光ディスク装置に内蔵されているレーザを用いる
ことによって焼き付けるレーベル層を設けた光ディスクが提案されている。
【０００６】
このようなレーベル層つき光ディスクでは、レーベル層がレーザ光に反応して発色する
ことでユーザが視認可能な文字や絵を焼き付けることが可能であり、ユーザの所望のレー
ベルを印刷することが可能となる。
【非特許文献１】http://www.hp.com/hpinfo/newsroom/press_kits/2004/ces/fs_lightscribe.pdf  （２００４年４月２６日現在）
【発明の開示】
【発明が解決しようとする課題】
【０００７】
このようなレーベル層つき光ディスクのレーベル層に文字や絵を印刷するためには、光
ディスク上にいわゆるインデックスマークを配置し、このインデックスマークを検出して
ディスク位置における記録画像の同期をとる必要がある。光ディスク上のインデックスマ
ークは、光ディスクが円形の場合は、ディスクの回転位置のどこにあっても問題は生じな
い。しかしながら、不定形のディスク例えば名詞などの四角形やハート型のディスクでは
、インデックスマークがどこの位置であるかは重要である。なぜなら、レーベル層の印刷
可能な記録エリアがどの位置からどの位置まで広がっているか決める必要があるためであ
る。
【０００８】
そこで本発明は、上記問題に鑑みてなされたもので、光ディスクのレーベルの記録エリ
アを認識可能な光ディスク装置を提供することを目的とする。
【課題を解決するための手段】
【０００９】
上記目的を達成するために、本発明は、デジタルデータを記録するためのデジタルデー
タ記録層及び文字情報或いはイメージ情報を記録するためのレーベル層と外形に対して少
なくとも線対称となる位置に設けられたインデックスマークを有する光ディスクを支持す
る支持手段と、
前記光ディスクを回転駆動するためのディスクモータと、
前記光ディスクの前記デジタルデータ記録層及び前記インデックス層に光を集光させる
ための光ピックアップと、
前記光ディスクに前記光ピックアップを介して光を照射する光源と、
前記インデックスマークの位置から前記光ディスクのうち前記レーベル層の記録エリア
を把握するコントローラとを具備し、
前記光源からの光照射によって前記デジタルデータ記録層にデジタルデータを記録し、
さらに前記レーベル層に文字情報或いはイメージ情報を記録することを特徴とする光ディ
スク装置を提供する。
【００１０】
このとき、さらに前記光源から前記光ピックアップを介して照射された光が前記インデ
ックスマークにて反射された反射光を検知する光センサを具備し、この光センサからの信
号に基づいて、前記コントローラは前記レーベル層の記録エリアを把握することができる
。
【００１１】
また、前記コントローラは、前記位置センサから得られた情報から前記レーベル層の形
状を把握し、この形状を元に前記記録エリアを判断することができる。
【００１２】
また、本発明は、デジタルデータを記録するためのデジタルデータ記録層及び文字情報
或いはイメージ情報を記録するためのレーベル層とを有する光ディスクを支持する支持手
段と、
前記光ディスクを回転駆動するためのディスクモータと、
前記光ディスクの前記デジタルデータ記録層及び前記インデックス層に光を集光させる
ための光ピックアップと、
前記光ディスクに前記光ピックアップを介して光を照射する光源と、
前記レーベル層に光を照射し、この反射光を検出することで前記光ディスクのうち前記
レーベル層の記録エリアを把握する記録エリア判断手段とを具備し、
前記光源からの光照射によって前記デジタルデータ記録層にデジタルデータを記録し、
さらに前記レーベル層に文字情報或いはイメージ情報を記録することを特徴とする光ディ
スク装置を提供する。
【発明の効果】
【００１３】
本発明によると光ディスクのレーベル層上にインデックスマークを設けることによって
、レーベル面の印刷可能な記録エリアを容易に判断することが可能となる。
【００１４】
また、インデックスマークが光ディスクの外形に対して少なくもと線対称な位置に設け
ることによって、ディスクを回転させたときに容易に検出することができる。
【発明を実施するための最良の形態】
【００１５】
以下、本発明を実施するための最良の形態について図面を用いて詳細に説明する。なお
、本発明は、以下の実施形態に限定されるものではなく、種々選択して用いることができ
る。
【００１６】
図１は、本発明の実施形態に係わるディスク装置のブロック図である。
【００１７】
このディスク装置は、デジタルデータを記録するためのデジタルデータ記録層（情報記
録面）１０３及び文字情報或いはイメージ情報を記録（印刷）するためのレーベル層（レ
ーベル面）１０４を有する光ディスク１０１を支持する支持手段１０６と、光ディスク１
０１を回転駆動するためのディスクモータ１０２と、光ディスク１０１のデジタルデータ
記録層１０３及びインデックス層１０４に光を集光させるための光ピックアップ１０５と
、光ディスク１０１に光ピックアップ１０５を介して光を照射する光源（ピックアップ１
０５に内蔵）と、光ディスク１０１のレーベル層１０４上に配置されたインデックスマー
クを検出する反射型光学センサ１０７と、この反射型光学センサ１０７からレーベル層１
０４の記録エリアを把握するコントローラ１０８とを具備している。
【００１８】
このディスク装置は、光源からの光照射によってデジタルデータ記録層１０３にデジタ
ルデータを記録し、さらにレーベル層１０４にユーザに認識可能な文字情報或いはイメー
ジ情報を記録することを可能としている。
【００１９】
また、ピックアップ１０５には位置センサ１０９が設けられ、この位置センサ１０９に
よっても光ディスク１０１のインデックスマークを検出することができる。
【００２０】
また、ピックアップ１０５は、送りモータ１１０によって、光ディスク１０１に対して
タンジェンシャル方向に駆動可能となっている。
【００２１】
また、送りモータ１１０は、送り駆動回路１１１によって駆動制御されている。また、
ピックアップ１０５は、レーザ駆動回路１１２、フォーカス駆動回路１１３によって、光
源であるレーザが駆動制御され、対物レンズがフォーカス制御される。
【００２２】
また、ディスクモータ１０２は、ディスクモータ駆動回路１１４によって回転速度を制
御されている。
【００２３】
また、ピックアップ１０５は信号処理回路１１５に接続され、光ディスク１０１のデジ
タルデータ記録層１０３からデータを読み出し或いはデジタルデータ記録層１０３にデー
タを書き込む。
【００２４】
フォーカス駆動回路１１３、レーザ駆動回路１１２、送り駆動回路１１１、ディスクモ
ータ駆動回路１１４、信号処理回路１１５は、コントローラ１０８によって制御されてい
る。
【００２５】
コントローラ１０８は、Ｉ／Ｆ１１５を介して、外部ホストコンピュータ１１６と接続
されており、ホストコンピュータ１１６は、アプリケーション１１７によって制御されて
いる。
【００２６】
図２に、本発明の光ディスクの平面図を示す。
【００２７】
この光ディスク１０１は、カード形（長方形）であり、そのうちデジタルデータ記録エ
リアは、Ｌで示す円内である。また、カード形のうち、レーベルエリアは、Ｅで示す長方
形の内側の領域である。
【００２８】
このようなカード形の光ディスク１０１が、図１に示すように、ピックアップ１０５に
レーベル層１０４が対向するようにディスクモータ１０２上の指示手段１０６に回転自在
に搭載されている。
【００２９】
図２に示すように、カード形の光ディスク１０１に配置されているインデックスマーク
２０１が検出可能な半径位置に、図１に示す反射型光学センサ１０７が配置される。
【００３０】
ここでは、反射型光学センサ１０７を使用してインデックスマーク２０１を検出する例
を示すが、図１に示すピックアップ１０５をインデックスマーク２０１の位置に移動して
検出するようにしても良い
このように設定された光ディスク１０１をディスクモータ１０２によって回転駆動させ
、ＦＧ信号（周波数発生信号）に同期させて、光ディスク１０１の回転位置を１回設定す
る。ＦＧ信号はディスク１回転に発生する数が変化しないためである。ピックアップで検
出する場合には、インデックス２０１の位置と記録位置が同じになるため、位置ずれ変換
が少なくて済む利点がある。
【００３１】
ディスクモータ１０２には、ＦＧ（周波数発生器）１１８を装着して、光ディスク１０
２の回転に応じて信号を発生させている。ここでは、ディスクモータ１０２にＦＧ１１８
を装着したが、光ディスク１０１に円周状にバーコードを記録しておき、反射型光学セン
サ１０７で検出するようにしてもよい。この場合光ディスク１０１の装着誤差による偏芯
によって発生する回転ムラによる記録画像の誤差を少なくすることができる。特に光ディ
スク１０１のレーベル面１０４を一旦書き込んで、これを光ディスク装置からとったあと
、光ディスク１０１を再び光ディスク装置に装着してレーベル面１０４を書き込む場合、
その前後の画像や文字のつなぎ誤差を少なくできる。
【００３２】
ピックアップ１０５およびコントローラ１０８は、情報を記録および再生することがで
きるようになっている。このため、レーザ駆動回路１１２や、フロントモニタ、フォーカ
ス／トラッキングアクテュエータを装備しており、光ディスク１０１の反射光を検出し、
フォーカスエラー、トラッキングエラー、ＲＦ信号などが検出可能となっている。
【００３３】
ピックアップ１０５は、リードスクリューとラック方式により、送りモータ１１０の回
転が、光ディスク１０１の半径方向の動きに変換される。ここでは、送りモータ１１０は
、ステッピングモータを使用する。
【００３４】
レーベル層１０４には、トラック情報がないため、ステッピングモータ１１０でのディ
スク半径方向の位置決めを行う必要がある。レーベル面１０４の記録画像品位を上げるに
は、数十ミクロンの精度を必要とする。しかし、メカニカルな要因、特にガタの存在がこ
の精度を悪化させる。このため、本発明では、ピックアップ１０５に位置センサ１０９を
装着しコントローラ１０８で制御することにより、ピックアップ１０５の位置を制御する
ように構成している。
【００３５】
コントローラ１０９は、ＤＳＰ（デジタルシグナルプロセッサ）を内蔵しており、フォ
ーカス、トラッキングのサーボ、ディスクモータ１０２の制御、送りモータ１１０の制御
などを行っている。
【００３６】
また、コントローラ１０９は、インターフェイス１１５を介して、ホストコンピュータ
１１６との情報の授受ができるようになっている。ホストコンピュータ１１６には、レー
ベル記録用のアプリケーション１１７が装着されている。
【００３７】
次に、異型ディスクにおけるレーベル記録の詳細な説明をおこなう。
【００３８】
ユーザがディスクの形状を確認し、光ディスク装置に装着する。それと前後して、アプ
リケーション１１７を起動し、そのメニューのなかから、該当するディスク形状を選択す
る。ここでは名詞サイズ。該当の形状がない場合には、汎用で外形を設定する。その後、
記録画像を作成とレイアウトを行いアプリケーションで、記録を開始する。
【００３９】
一方光ディスク装置は、光ディスク１０１が装着されると、光ディスク１０１をＦＧ周
波数が所定値になるように回転させる。通常ＦＧ信号逓倍した信号について基準周波数を
比較し、その速度誤差信号をディスクモータ１０２の駆動にフィードバックすることによ
り行われる。
【００４０】
光ディスク１０１が１回転するときのＦＧ信号の数は判っている。このため、インデッ
クス信号が１回転に１回発生することを判別することで、コントローラ１０８がレーベル
記録面であることを認識することができる。
【００４１】
次に、ピックアップ１０５の位置センサ１０９の初期位置を設定するために送りモータ
１１０を駆動して、光ディスク１０１の内周方向に移動させ、ＳＷが入った位置で、停止
させ、再び外周方向に駆動し、ＳＷが離れた時点で、駆動を停止し、この位置での位置セ
ンサ１０９を基準位置とする。
【００４２】
位置センサ１０９は、画像分解能を２，０００ＤＰＩ（ドットパーインチ）と考えて、
１２．７μｍで、１パルス発生する分解能とする。したがって、たとえば基準位置から２
，０００パルス外周方向にピックアップを送ると、２５．４ｍｍ移動させることができる
。
【００４３】
ＳＷの絶対位置精度は、セットにより異なるため、光ディスク１０１に基準位置を設け
る。これは、光ディスク１０１の規定された半径にリング状の反射帯を設ける。ピックア
ップの出力でその位置を確認し、その位置での位置センサ１０９の基準位置からのパルス
数を記憶することで実行する。
【００４４】
次に、アプリケーション１１７の指示により記録開始の位置が示され、記録データにし
たがって記録を開始し、１トラックの記録が終了すると次のトラックの記録を開始し、こ
の動作は、記録終了まで、繰り返される。
【００４５】
記録を始めるには、ディスクの記録面に集光させる必要がある。ここでは、基板を通じ
て集光するように設計されたピックアップ１０５を使用する。このためディスク表面に集
光させようとすると、フォーカスエラー信号の中心では光学収差のため、合焦しない。こ
のため、通常のフォーカスサーボ手段が使用できない。
【００４６】
このため、フィードフォワード手法によるフォーカス制御を行う。これは、光ディスク
１０１からの反射光が最大になるようなフォーカス駆動信号を学習し、それをＦＧ信号に
よりディスク１回転分のフォーカス駆動信号としてあらかじめ学習してメモリに記憶させ
、それをＦＧ信号により読み出してフォーカス駆動する方式である。当然学習したディス
クの半径位置が異なるとその値は、変更しなくては合焦のズレが大きくなるため、学習し
なおす必要があり、その学習では、記録を中断する必要がある。
【００４７】
図２に示すように、カード形の光ディスク１０１は、内側からクランプエリア２０２、
インデックス領域２０３、トラックａ１０４、レーベル記録層２０５、トラックｂ２０６
を有している。このカード形光ディスク１０１のレーベル記録面の内径は、光ディスク１
０１を光ディスク装置に装着するためのカイド用の穴である。外形は、Ａ、Ｂ、Ｃ、Ｄの
面で構成されるカード形上をしている。
【００４８】
レーベル面の記録可能領域は、Ｅで示す線の内側でかつ、インデックス領域の外側であ
る。具体的には、Ｌの円よりも外側とする。なお記録膜は、外形の近傍まえにあるものと
する。
【００４９】
インデックスマーク２０１は、反射率が低く、他のインデックス領域は、反射率が高く
なっている。このインデックス領域の外側の淵をディスクの基準位置とする。
【００５０】
トラックａは、円周に途切れないで記録可能である。トラックｂは、ＦからＧの領域と
、ＨからＩの領域のみが記録領域となる。したがって、それ以外の領域では、記録できな
い。また記録膜の無い領域では、反射光が無いため、フォーカス駆動学習ができない。
【００５１】
このように光ディスク１０１の記録範囲を外れる領域では、記録領域のみのフォーカス
駆動信号を学習し、その領域以外のフォーカス駆動信号は、メモリの値を書き換えしない
。そして、学習した値をＦの位置からＧの位置まで使用し、Ｇが過ぎたらただちにＨの信
号に切り換え、Ｈの位置からＩの位置まで学習値を使用し、Ｉが過ぎたらただちにＦの信
号値を使用する。
【００５２】
Ｆ、Ｇ、Ｈ、Ｉの位置は、アプリケーションからの指示による。また、コントローラが
ディスク反射率に変化により、Ｅに基づく領域をインデックスマーク位置基準であらかじ
め学習しておいてもよい。
【００５３】
アプリケーションは、インデックスマーク基準で、光ディスク１０１のレイアウトの情
報をコントローラ１０８に伝達し、コントローラ１０８は、そのデータをインデックスマ
ーク２０１で基準化した、ＦＧ信号による回転角情報と位置センサによる半径情報に元づ
いて、レーザ駆動を用いてディスクに画像を１トラックごとに記録する。
【００５４】
ここでは、インデックスマーク２０１を光ディスク１０１の外形に対して少なくとも線
対象な位置に配置している。これは、ユーザがハンドリングする場合に最も汚れない位置
であり、またディスクのソリの影響が最も受けない位置である。
【００５５】
また、Ｆの位置が検出できれば、容易にＧの位置が推定できる。
【００５６】
次に、図３を用いて他の実施形態について説明する。
【００５７】
図３は、ハート型の形状の光ディスク１０１である。この光ディスク１０１は、内側か
らクランプエリア３０２、インデックス領域３０３、レーベル記録層３０４を有している
。インデックス領域３０４状の、外形に対して線対称な位置にインデックスマーク３０１
が設けられている。内径は図２で説明したものと同様に光ディスク１０１を光ディスク装
置に装着するためのガイドとなっている。
【００５８】
次に、図４、図５を用いて本発明の他の実施形態について説明する。
【００５９】
レーベル形状に合った正しい位置に画像を正確に形成するためには、アプリケーション
側でレーベル形状を認識し、レーベル位置における記録画像との同期をとる必要がある。
これは異型ディスクの場合、非常に重要である。
【００６０】
図４は、処理の流れを示すフローチャート、図５は、カード形（長方形）の光ディスク
の表面図であり、７トラック分トレースした場合のディスク形状認識について説明する。
【００６１】
先ず、図４に示すように、ディスク内周のインデックス領域をトレースしてインデック
スマークを検出し（ａ）、ＦＧと同期させてディスク１回転におけるインデックスマーク
の位置を学習する（ｂ）。次にレーベル形状を認識するため、レーベル上をトレースして
再生する（ｃ）。
【００６２】
図５は、７トラック分トレースした場合の例である。
【００６３】
図５（ａ）に示すようにレーベル上を矢印の方向へトレースし、内周から外周へ再生を
おこなう。そのときの再生信号は図５（ｂ）のようになる。
【００６４】
図５（ｂ）にしめすように、内周から外周にかけて、１トラック目から３トラック目ま
では、レーベルの信号が発生し、レーベル記録エリアが存在することを示している。４ト
ラック目から７トラック目にかけて９０°と２７０°を中心とする領域でレーベル信号が
なくなり、トラックが外周に行くに従って、しだいにレーベル信号がなくなる領域が増え
ている。これは図５（ａ）に示すように長方形の短辺方向にはレーベル層の記録可能なエ
リアがなくなってしまっているためである。
【００６５】
このようにディスク反射率の変化により、たとえばレーベルのあるところは"Ｈ"、レー
ベルのないところは"Ｌ"の信号を得る。
【００６６】
図５（ａ）に示すようなカード形のディスクの場合、ディスク内周から外周に行くに従
い、ディスク１回転中にレーベルのない割合が増えていくことがわかる。
【００６７】
図４に示すように、コントローラ１０８は、インデックスマーク位置基準で、この再生
信号をホストコンピュータ１１６側へ伝え（ｄ）、ホストコンピュータ１１６はこの再生
信号を形状として復調することで、アプリケーション側で形状として認識することができ
る（ｅ）。
【００６８】
イメージ画像記録時に、ユーザはアプリケーションのメニューから、該当するディスク
形状を選択し、イメージをレーベルに記録するよう、指示を出す（ｆ）。
【００６９】
コントローラ１０８はイメージ情報をインデックスマーク位置基準で記録するようドラ
イブへ指示を出す。それによりレーベル形状に合った正しい位置に画像を正確に形成する
ことができる（ｇ）。
【００７０】
本発明では、異形の光ディスクに対してあらかじめレーベル面の記録エリアを把握する
ことができ、これに応じて所望の文字や絵を書き込むことが可能となる。
【図面の簡単な説明】
【００７１】
【図１】本発明の実施形態に係わる光ディスク装置のブロック図。
【図２】本発明の実施形態に係わるカード形光ディスクの表面図。
【図３】本発明の実施形態に係わるハート型光ディスクの表面図。
【図４】本発明の処理法を説明するためのフローチャート。
【図５】本発明の実施形態に係わるカード形光ディスクの表面図（ａ）と、レーベル面を検出する光検出センサの出力を示すグラフ。
【符号の説明】
【００７２】
１０１・・・光ディスク
１０２・・・ディスクモータ
１０３・・・情報記録面
１０４・・・レーベル面
１０５・・・ピックアップ
１０６・・・支持手段
１０７・・・反射型光学センサ
１０８・・・コントローラ
１０９・・・位置センサ
１１０・・・送りモータ
１１１・・・送り駆動回路
１１２・・・レーザ駆動回路
１１３・・・フォーカス駆動回路
１１４・・・ディスクモータ駆動回路
１１５・・・インターフェイス
１１６・・・ホストコンピュータ
１１７・・・アプリケーション
【図１】
2005317104.tif 000003
【図２】
2005317104.tif 000004
【図３】
2005317104.tif 000005
【図４】
2005317104.tif 000006
【図５】
2005317104.tif 000007